【手続補正書】
【提出日】平成30年1月29日(2018.1.29)
【手続補正１】
【補正対象書類名】特許請求の範囲
【補正対象項目名】全文
【補正方法】変更
【補正の内容】
【特許請求の範囲】
【請求項１】
成分Ａ、ＢおよびＣを含むポリマーブレンドであって：
Ａ：硬質相を形成しビニル芳香族モノマーの単位を含む少なくとも１つのブロックＳと、軟質相を形成しビニル芳香族モノマー（Ｓ）およびジエン（Ｂ）の両方の単位を含む少なくとも１つのエラストマーブロックＢ／Ｓとから作製されるエラストマーブロックコポリマーＡを１から１９．５重量％、ここでＳはビニル芳香族ブロックであり、Ｂ／Ｓは軟質相であり、ここでブロックはジエン単位およびビニル芳香族単位からランダムに組み立てられており、ここでブロックＳのガラス転移温度Ｔｇは２５℃を超えており、ブロックＢ／Ｓのガラス転移温度Ｔｇは２５℃未満であり、ブロックＢ／Ｓに対するブロックＳの相の体積比は、Ａを基準として、全ブロックコポリマー中の硬質相の割合が１から４０体積％であり、ジエンの割合が５０重量％未満になるように選択される；
Ｂ：成分Ｂ１ならびにさらに任意選択の成分Ｂ２および／またはＢ３を含む成分Ｂを０．５から８重量％：
Ｂ１：Ｂ１１、Ｂ１２およびＢ１３からなる群から選択される少なくとも１つのエラストマーブロックコポリマー：
Ｂ１１：硬質相を形成しビニル芳香族モノマーの単位を含む少なくとも１つのブロックＳと、軟質相を形成しエチレンおよびブチレンの単位を含む少なくとも１つのエラストマーブロックＥＢとから作製されるブロックコポリマーＢ１１；ならびに／または
Ｂ１２：硬質相を形成しビニル芳香族モノマーの単位を含む少なくとも１つのブロックＳと、軟質相を形成しエチレンおよびプロピレンの単位を含む少なくとも１つのエラストマーブロックＥＰとから作製されるブロックコポリマーＢ１２；ならびに／または
Ｂ１３：硬質相を形成しビニル芳香族モノマーの単位を含む少なくとも１つのブロックＳと、軟質相を形成しジエン（Ｂ）の単位を含む少なくとも１つのエラストマーブロックＢとから作製され、Ｂ１３を基準として、全ブロックコポリマー中の硬質相の割合が、多くとも４５重量％であるブロックコポリマーＢ１３；
Ｂ２：硬質相を形成しビニル芳香族モノマーの単位を含む少なくとも１つのブロックＳと、軟質相を形成しジエン（Ｂ）の単位を含む少なくとも１つのエラストマーブロックＢとから作製され、Ｂ２を基準として、全ブロックコポリマー中の硬質相の割合が５０重量％を超える、硬い／強靱なブロックコポリマーＢ２；
Ｂ３：Ｂ３を基準として、（Ｃ３〜Ｃ１８）−α−オレフィンが高含有であり、５０％未満の結晶化度を有するエチレン−（Ｃ３〜Ｃ１８）−α−オレフィンコポリマーＢ３；
Ｃ：成分Ｂ３とは異なる少なくとも１つの半結晶性オレフィンホモまたはコポリマーのＣを８０から９８．５重量％；
ここで、成分Ａ、ＢおよびＣの全重量は正確に１００重量％となる、
前記ポリマーブレンド。
【請求項２】
成分Ａは一般式Ｓ−（Ｂ／Ｓ）−Ｓ、Ｘ−［−（Ｂ／Ｓ）−Ｓ］２、Ｙ−［−（Ｂ／Ｓ）−Ｓ］２、Ｙ［（Ｂ／Ｓ−Ｓ）ｎ］ｍ［Ｓ］ｌおよびＹ［（Ｓ−Ｂ／Ｓ）ｎ−Ｓ］ｍ［Ｓ］ｌ［式中、Ｓはビニル芳香族ブロックであり、Ｂ／Ｓは軟質相であり、Ｘはｎ官能性開始剤のラジカルであり、Ｙはｍ官能性または（ｍ＋１）官能性カップリング剤のラジカルであり、ｌ、ｍおよびｎは１から１０までの自然数である］の１つを有するブロックコポリマーである、
請求項１に記載のポリマーブレンド。
【請求項３】
成分Ａは、２つのＳブロックの間に、ランダムなスチレン／ブタジエンの分布を有する１つまたはそれ以上の（Ｓ／Ｂ）−ランダムブロックが位置しており、スチレン−ブタジエンコポリマーブロック（Ｓ／Ｂ）中の１，２−ビニル含有量が２０％未満である、一般構造Ｓ−（Ｓ／Ｂ）−Ｓの直線状スチレン−ブタジエンブロックコポリマーである、請求項１または２に記載のポリマーブレンド。
【請求項４】
Ａ、Ｂ１およびＣ；Ａ、Ｂ１、Ｂ２およびＣ；Ａ、Ｂ１、Ｂ３およびＣ；ならびにＡ、Ｂ１、Ｂ２、Ｂ３およびＣからなる群から選択される成分Ａ、Ｂ１、Ｃならびに場合によりＢ２および／またはＢ３の組合せを含む、
請求項１〜３のいずれか１項に記載のポリマーブレンド。
【請求項５】
成分Ｂの全量を基準として、成分Ｂ１の量は１から１００重量％、好ましくは１０から１００重量％、より好ましくは１５から５０重量％であり；
成分Ｂ２の量は０から９９重量％、好ましくは０から９０重量％、より好ましくは２０から７０重量％であり；および
成分Ｂ３の量は０から９９重量％、好ましくは０から９０重量％、より好ましくは１０から５０重量％であり、
ここで、成分Ｂ１、Ｂ２およびＢ３を合わせた全量は正確に１００重量％となる、
請求項１〜４のいずれか１項に記載のポリマーブレンド。
【請求項６】
成分Ｂ１はＢ１１および／またはＢ１３、特にＢ１１であり；
Ｃはポリエチレンおよび／またはポリプロピレンであり、
Ｂ３は、存在する場合、エチレン−オクテンコポリマーであり、
Ｂ２は、存在する場合、ＳＢＳブロックコポリマーである、
請求項１〜５のいずれか１項に記載のポリマーブレンド。
【請求項７】
以下の組成：
成分Ａを１から１０重量％、
成分Ｂ１１および／またはＢ１３、特にＢ１１を０．８から２．５重量％、ならびに、
成分Ｃを８７．５から９８．２重量％、
を有し、
ここで、Ａ、Ｂ１１、Ｂ１３およびＣは正確に１００重量％となる、
請求項１〜６のいずれか１項に記載のポリマーブレンド。
【請求項８】
以下の組成：
成分Ａを１から１０重量％、
成分Ｂ１１および／またはＢ１３、特にＢ１１を０．１から０．８重量％、
成分Ｂ２を０．１から０．８重量％、
成分Ｂ３を０．１から０．８重量％、ならびに
成分Ｃを８７．６から９８．７重量％、
を有し、
ここで、Ａ、Ｂ１１、Ｂ１３、Ｂ２、Ｂ３およびＣは正確に１００重量％となる、
請求項１〜６のいずれか１項に記載のポリマーブレンド。
【請求項９】
以下の組成：
成分Ａを１から１０重量％、
成分Ｂ１１および／またはＢ１３、特にＢ１１を０．８から２．５重量％、
成分Ｂ２を０．８から２．５重量％、
成分Ｃを８５から９４重量％、
を有し、
ここで、Ａ、Ｂ１１、Ｂ１３、Ｂ２およびＣは正確に１００重量％となる、
請求項１〜６のいずれか１項に記載のポリマーブレンド。
【請求項１０】
以下の組成：
成分Ａを１から１０重量％、
成分Ｂ１１および／またはＢ１３、特にＢ１１を０．８から２．５重量％、
成分Ｂ３を０．８から２．５重量％、
成分Ｃを８５から９４重量％、
を有し、
ここで、Ａ、Ｂ１１、Ｂ１３、Ｂ３およびＣは正確に１００重量％となる、
請求項１〜６のいずれか１項に記載のポリマーブレンド。
【請求項１１】
以下の組成：
成分Ａを１０から１７重量％、
成分Ｂ１１および／またはＢ１３、特にＢ１１を１．０から６．０重量％、ならびに、
成分Ｃを８０から８７重量％、
を有し、
ここで、Ａ、Ｂ１１、Ｂ１３およびＣは正確に１００重量％となる、
請求項１〜６のいずれか１項に記載のポリマーブレンド。
【請求項１２】
以下の組成：
成分Ａを１から１０重量％、
成分Ｂ１１および／またはＢ１３、特にＢ１１を０．２から０．８重量％、
成分Ｂ２を０．２から１．０重量％、
成分Ｂ３を０．１から０．８重量％、ならびに、
成分Ｃを８７．４から９８．５重量％、
を有し、
ここで、Ａ、Ｂ１１、Ｂ１３、Ｂ２、Ｂ３およびＣは正確に１００重量％となる、
請求項１〜６のいずれか１項に記載のポリマーブレンド。
【請求項１３】
以下の組成：
成分Ａを１０から１７重量％、
成分Ｂ１１および／またはＢ１３、特にＢ１１を０．８から３．０重量％、
成分Ｂ２を０．８から３．０重量％、
成分Ｃを８０から８７重量％、
を有し、
ここで、Ａ、Ｂ１１、Ｂ１３、Ｂ２およびＣは正確に１００重量％となる、
請求項１〜６のいずれか１項に記載のポリマーブレンド。
【請求項１４】
以下の組成：
成分Ａを１０から１７重量％、
成分Ｂ１１および／またはＢ１３、特にＢ１１を０．８から３．０重量％、
成分Ｂ３を０．８から３．０重量％、
成分Ｃを８０から８７重量％、
を有し、
ここで、Ａ、Ｂ１１、Ｂ１３、Ｂ３およびＣは正確に１００重量％となる、
請求項１〜６のいずれか１項に記載のポリマーブレンド。
【請求項１５】
相溶化剤であって、
（ｉ）成分Ｂは、Ｂ１およびＢ３またはＢ１、Ｂ２およびＢ３の組み合わせを含み、ならびに
（ｉｉ）エチレン−（Ｃ3〜Ｃ18）−α−オレフィンコポリマーＢ３は、エチレン−ヘキセンまたはエチレン−オクテンコポリマーである、
請求項１または５に記載の成分Ｂを含む前記相溶化剤。
【請求項１６】
請求項１〜１４のいずれか１項に記載のポリマーブレンドを製造するための方法であって：
成分ＡおよびＢ１ならびに、存在する場合、成分Ｂ２およびＢ３の予備化合物は押出機で製造され；
得られた予備化合物はポリオレフィンの成分Ｃと予備混合され、その後この混合物は押出成形されて該ポリマーブレンドとなる、
前記方法。
【請求項１７】
マスターバッチであって、
請求項１に記載の、成分ＡおよびＢ１ならびに、存在する場合、成分Ｂ２およびＢ３の予備化合物を含む、
前記マスターバッチ。
【請求項１８】
成分Ａを５０から６０重量％、
成分Ｂ１を１０から２０重量％、
成分Ｂ２を５から１５重量％、および
成分Ｂ３を１５から３０重量％含み、
ここで成分Ａ、Ｂ１、Ｂ２およびＢ３の全量が正確に１００重量％となる、
請求項１７に記載のマスターバッチ。
【請求項１９】
単層の、２層のまたは多層のフィルムであって、
請求項１〜１４のいずれか１項に記載のポリマーブレンドを含む、
前記フィルム。
【請求項２０】
食品包装用および収縮性カバーのための請求項１９に記載のフィルムの使用の方法。
【請求項２１】
成分Ｂ１は、Ｂ１１およびＢ１３の組み合わせである、請求項１５に記載の相溶化剤。